(57)【要約】【課題】ＩＰアドレスには数が有限であるため、ＬＡＮ内で使用できる機器の台数がＩＰアドレスの数だけであるという課題があった。また、ＩＰアドレスにプライベートアドレスを使用する時サブネット必ず設定しなければならないが、簡易的にＩＰアドレスは設定できるがサブネットが設定できないという課題があった。【解決手段】情報コンセントにサブネットマスクに数値を割り当てる設定手段を設けることにより、有限のＩＰアドレスを枯渇させず、使用することができ、一つのサブネット内で使用できる機器の台数が増える。また、専門知識が不要で容易に設定できるうえ、サブネットマスクを個々の機器で設定する必要がなくなる。【選択図】図１
2005354341.tif 000002
【特許請求の範囲】
【請求項１】
ＩＰアドレスとサブネットマスクで識別される機器をネットワークに接続する情報コンセントであって、ネットワ−ク内の機器同士または前記ネットワーク内にある中継機を介して前記ネットワーク内にある機器と前記ネットワーク内にある別の機器を接続する内側インターフェースと、前記ネットワ−クとは別のネットワ−クに接続する外側インターフェースと、前記内側のインターフェースに接続されるネットワ−クのサブネットマスクに数値を割り当てる設定手段と、前記外側のインターフェースに接続されるネットワ−ク用のサブネットマスクに数値を割り当る設定手段を有する情報コンセント。
【請求項２】
外側のインターフェース用のＩＰアドレスにプライベートアドレスを割り当る設定手段と、
内側のインターフェース用のＩＰアドレスにプライベートアドレスを割り当る設定手段を有し、前記設定手段が前記内側のインターフェース側の面にさらに設けられたことを特徴とする請求項１の記載の情報コンセント。
【請求項３】
前記設定手段が手動型切替スイッチである請求項１乃至２のいずれかに記載の情報コンセント。
【請求項４】
前記設定手段が着脱式の不揮発性記憶手段である請求項１乃至２のいずれかに記載の情報コンセント。
【請求項５】
１つのネットワ−クが請求項１乃至４にいずれかに記載の情報コンセントとそのネットワ−ク内にある機器から構成されており、複数のネットワ−ク間における通信において、
ネットワ−ク間が前記情報コンセントの外側インターフェースどうし渡り配線で接続されることを特徴とする通信システム。
【発明の詳細な説明】
【技術分野】
【０００１】
本発明は、情報コンセントと当該情報コンセントを用いた通信システムに関するものである。
【背景技術】
【０００２】
近年、インターネットへアクセスするインフラ網の普及に追従して、Ｉｎｔｅｒｎｅｔ  Ｐｒｏｔｏｃｏｌ（以下、ＩＰ）を用いた機器が広く普及している。ＩＰを用いた通信を行うには、通信を行おうとする機器（以下、機器）に対してＩＰアドレスとサブネットを設定する必要がある。ＩＰアドレスは、例えば（１９２．１６８．０．１）などの４数字群（３２ｂｉｔ）であらわされ、その４数字群はそれぞれ０から２５５の範囲である。そのＩＰアドレスの種類には、グローバルアドレスとプライベートアドレスの２種類がある。グローバルアドレスは、日本の場合、ＪＰＮＩＣで管理されており、ユーザーが自由に割り当てて使用できるものではなく、ＪＰＮＩＣでの管理下において割り当てられ、例えばインターネットへのアクセスなどの開かれた環境での通信で使用するものである。グローバルアドレスに対して、プライベートアドレスは、１９２．１６８．Ｘ．ＸＸ（ＸとＸＸは０〜２５５の任意の値）、あるいは、１７２．１６．０．１から１７２．３１．２５５．２５４、あるいは、１０．Ｘ．ＸＸ．ＸＸＸ（ＸとＸＸとＸＸＸは０〜２５５の任意の値）の範囲においてユーザーが自由に割り当てることが可能で、宅内や事務所内など閉じられた環境での通信で使用するものであるが、インターネットへのアクセスなどの開かれた環境では使用できない。そのうえ、プライベートアドレスを用いたＩＰ通信を行うには、機器にＩＰアドレスとサブネットマスクの設定が必要である。サブネットマスクは、有限のＩＰアドレス空間をさらに広く使用するためのもので、例えば、（２５５．２５５．２５５．１２８）などの４数字群（３２ｂｉｔ）であらわされ、その４数字群はそれぞれ０から２５５の範囲である。
【０００３】
ＩＰアドレスとサブネットマスクを機器に設定する手段は、自動的に設定する手段と手動で設定する手段の２種類がある。自動的に設定するには、ＩＰアドレスを自動的に設定する機能を持ったＤＨＣＰサーバなどを通信網に設けておく。例えば、ユーザーがパソコン（以下、ＰＣ）でインターネットへアクセスする場合、まず、ＰＣからダイヤルアップなどの手段によってプロバイダへアクセスし、ＰＣからプロバイダへ接続した時点で、プロバイダのＤＨＣＰサーバからＰＣに対してＩＰアドレスとサブネットが自動的に設定される。ＩＰアドレスを手動で設定する場合、例えばＰＣではユーザーがキーボードなどを操作して通信環境設定を行う状態にし、設定する。そこで、ＩＰアドレスの設定を簡易的に行う手段として、ロータリスイッチを用いたものがある。（特許文献１参照）。下記は、従来例に開示されたＩＰアドレスの設定方法及びそれを用いた通信システムを示す。
【０００４】
図１２において無線基地局１２０１は複数の移動端末１２０７〜１２０９と無線通信が可能であり、構内ＬＡＮをイーサネット（Ｒ）により構築している。このイーサネット（Ｒ）には回線コントローラ１２０４とＩＳＤＮ回線端末１２０５、ＰＳＴＮ回線端末１２０６が接続されている。ＩＳＤＮ回線端末１２０５とＰＳＴＮ回線端末１２０６はＩＳＤＮ／公衆網７１０が接続されている。図１では単一の無線基地局１２０１のみが示されているが、複数の無線基地局がイーサネット（Ｒ）に接続され、構内ＬＡＮを構築しているものとする。
【０００５】
次に各無線基地局にアドレス記憶部がない場合について、端末番号１〜２５４にＩＰアドレスを割り当てる方法について図１３を用いて説明する。図１３において、各無線基地局（１２０１で代表する）には図１に示すように２つのロータリスイッチ１２０２、１２０３が、設けられている。これら２つのロータリスイッチ１２０２、１２０３はＩＳＤＮ回線端末１２０５とＰＳＴＮ回線端末１２０６を含む他の端末にも同様に設けられていて、以後これら２つのロータリスイッチをロータリスイッチ１、２と呼ぶことにする。ユーザーはロータリスイッチ１２０２に、例えば３０を（Ｓ１３０１）、ロータリスイッチ１２０３に端末番号として、例えば１５を設定し（Ｓ１３０２）、端末の電源を入れる（Ｓ１３０３）。端末はロータリスイッチ１を読み出し、ＩＰアドレスの第３群目の数字を３０とする（Ｓ１３０４）。次に、端末はロータリスイッチ１２０３を読み出し、端末番号をＩＰアドレスの第４群目の数字とする（Ｓ１３０５）。第１群目と第２群目の数字はそれぞれ１９２、１６８に固定している場合、ＩＰアドレスは１９２．１６８．３０．１５に設定される（Ｓ１３０６）。
【特許文献１】特開平１０−３０８７７９号公報
【発明の開示】
【発明が解決しようとする課題】
【０００６】
しかし、上記構成ではＩＰアドレスには数が有限であるため、そのＬＡＮ内で使用できる機器の台数がＩＰアドレスの数だけであるという課題があった。
【０００７】
また、ＩＰアドレスにプライベートアドレスを使用する時サブネット必ず設定しなければならないが、簡易的にＩＰアドレスは設定できるがサブネットが設定できないという課題があった。
【課題を解決するための手段】
【０００８】
本願第一の発明の情報コンセントは、ＩＰアドレスとサブネットマスクで識別される機器をネットワークに接続する情報コンセントであって、ネットワ−ク内の機器同士または前記ネットワーク内にある中継機を介して前記ネットワーク内にある機器と前記ネットワーク内にある別の機器を接続する内側インターフェースと、前記ネットワ−クとは別のネットワ−クに接続する外側インターフェースと、前記内側のインターフェースに接続されるネットワ−クのサブネットマスクに数値を割り当てる設定手段と、前記外側のインターフェースに接続されるネットワ−ク用のサブネットマスクに数値を割り当る設定手段を有することを特徴とする。
【０００９】
本願第二の発明の情報コンセントは、本願第一の発明に加え、外側のインターフェース用のＩＰアドレスにプライベートアドレスを割り当る設定手段と、内側のインターフェース用のＩＰアドレスにプライベートアドレスを割り当る設定手段を有し、前記設定手段が前記内側のインターフェース側にさらに設けられたことを特徴とする。
【００１０】
また、好ましくは、前記設定手段を手動型切替スイッチまたは着脱式の不揮発性記憶手段としてもよい。
【００１１】
本願第一の発明の通信システムは１つのネットワークが本願第一の発明または本願第二の発明に記載の情報コンセントとそのネットワーク内にある機器から構成されており、複数のネットワーク間における通信において、ネットワーク間が前記情報コンセントの外側インターフェースどうし渡り配線で接続されることを特徴とする。
【発明の効果】
【００１２】
情報コンセントにサブネットマスクに数値を割り当てる設定手段を設けることにより、有限のＩＰアドレスを枯渇させず、一つのネットワーク内で使用することができ、使用できる機器の台数が増える。
【００１３】
また、専門知識が不要で容易に設定できるうえ、サブネットマスクを個々の機器で設定する必要がなくなる。
【発明を実施するための最良の形態】
【００１４】
以下本発明を実施するための最良の形態について、図面を参照しながら説明する。
【００１５】
（実施の形態１）
図１を用いて、実施の形態１の通信システムの構成を示す。また、当実施の形態では一つのネットワークを部屋とおいて説明する。
【００１６】
図１において、部屋１０１の壁面には情報コンセント１０２が設けられており、情報コンセント１０２には通信中継機１０３が接続されている。また、通信中継機１０３には、ＰＣ１０４とＰＣ１０５とＰＣ１０６が接続されており、ＰＣ１０４とＰＣ１０５とＰＣ１０６は通信中継機１０３を介して通信可能である。この時通信中継機１０３は、例えばＰＣ１０４から送信された信号内容を変化させることなく、そのままＰＣ１０５に送信する。部屋１０７にある情報コンセント１０８と通信中継機１０９とＰＣ１１０、ＰＣ１１１，ＰＣ１１２も同様に接続されている。また、部屋１１３にある情報コンセント１１４と通信中継機１１５とＰＣ１１６、ＰＣ１１７，ＰＣ１１８も同様に接続されている。また、情報コンセント１０２と情報コンセント１０８、情報コンセント１０８と情報コンセント１１４がそれぞれ接続されており、例えばＰＣ１０４とＰＣ１１０は通信中継機１０３と情報コンセント１０２、情報コンセント１０８、通信中継機１０８を介して通信可能である。なお、部屋１０１、部屋１０７、部屋１１３にある機器間の通信は全てＩＰを使用して行っている。
【００１７】
ここで、図２にサブネットマスクの設定の一例を示し、２０１をサブネット第１群、２０２をサブネット第２群として、サブネットの設定は、サブネット第１群２０１とサブネット第２群２０２を設定することとする。
【００１８】
また、図３に情報コンセント１０２のハードウエア構成の一例を示し、３１０は内側インターフェースのコネクタ、３０８はコネクタ３１０に接続される機器との通信を行うＰＨＹ・ＭＡＣ、３０９は外側インターフェースのコネクタ、３１１はコネクタ３０９に接続される機器との通信を行うＰＨＹ・ＭＡＣ、３０７はＣＰＵ、３０１はコネクタ３１０での通信に必要なサブネットマスクを設定する内側インターフェース設定ＳＷ群、３０２は内側インターフェースのサブネットマスクを設定するサブネット第１群設定ＳＷ、３０３は内側インターフェースのサブネットマスクを設定するサブネット第２群設定ＳＷ、３０４はコネクタ３０９での通信に必要なサブネットマスクを設定する内側インターフェース設定ＳＷ群、３０５は外側インターフェースのサブネットマスクを設定するサブネット第１群設定ＳＷ、３０６は外側インターフェースのサブネットマスクを設定するサブネット第２群設定ＳＷ、３１２はメモリ、３１３はリセットＳＷである。
【００１９】
図４には情報コンセント１０２の内側インターフェースの構成の例を示す。図４において、４０１は内側インターフェースである。内側インターフェース設定ＳＷ群３０１と外側インターフェース設定ＳＷ群３０４はディップスイッチで室内側に露出している。また、コネクタ３０９とリセットＳＷがついている。
【００２０】
図５において図３に示すハードウエア構成及び図４に示す情報コンセント１０２の動作例を示す。初めに、ユーザーは内側インターフェース設定ＳＷ群３０１と外側インターフェース設定ＳＷ群３０４をそれぞれ設定する（Ｓ５０１）。次に、リセットＳＷ３１３を押下（Ｓ５０２）し、ＣＰＵ３０７は初期化処理の中で、内側インターフェース設定ＳＷ群３０１と外側インターフェース設定ＳＷ群３０４でそれぞれ設定された値を読み込み（Ｓ５０３）、メモリ３１２へ書き込む（Ｓ５０４）。以降、情報コンセント１０２を経由する通信において、ＣＰＵ３０７がメモリ３１２を参照するなどして、ＩＰを利用した通信が可能となる。
【００２１】
このような構成にすれば、サブネットマスクが容易に設定できＩＰアドレスの枯渇を防ぐことができる。また、一つの情報コンセントからやり取りされる機器の数をユーザーが任意に設定できる。そして、渡り配線にすることにより、ハブの口の数に関係なく、ネットワークを増やすことができる。
【００２２】
なお、実施の形態１には設定手段としてディップスイッチを用いたが、ロータリスイッチ等の手動切替型のスイッチを用いてもよい。また、設定手段として、メモリーカードやメモリースティック等の着脱式の不揮発性記憶手段を用いる場合は、スイッチの部分を着脱式の不揮発性記憶手段の挿入口に置き換えればよい。
【００２３】
また、実施の形態１では１つのネットワークを部屋とおいたが、部屋の中でパーテションで区切られた空間や線が引かれて区切られた空間や、ビルごとや建物ごとで区切られた空間等でもよい。
【００２４】
また、実施の形態１では機器としてＰＣを使用しているが、テレビや電子レンジやカーナビのようなネットワーク上で使用できる電気製品でもよい。
【００２５】
加えて、ＩＰアドレスにプライベートアドレスを設定する際は、情報コンセントの内側インターフェースに上記のサブネットマスク設定と同様の設定手段を設けてもよい。また、ＩＰアドレスの設定は機器または通信中継器で設定されてもよい。そして、機器または通信中継器におけるＩＰアドレスの設定手段は上記のサブネットマスク設定と同様の設定手段でもよい。
【００２６】
（実施の形態２）
図６を用いて、実施の形態２の通信システムの構成を示す。
【００２７】
図６において、実施の形態１と同じ部位は同じ番号を付し同様のものとし、重複する説明は適宜省略する。
【００２８】
図６において、部屋１０１の壁面には情報コンセント１０２が設けられており、情報コンセント１０２には無線通信中継機６０１が接続されている。また、部屋１０１には、無線機器内臓ＰＣ６０２と無線機器内臓ＰＣ６０３と無線機器内臓ＰＣ６０４があり、同一部屋内のＰＣどうしは通信可能である。加えて、情報コンセント１０２と情報コンセント１０８、情報コンセント１０８と情報コンセント１１４がそれぞれ接続されており、例えば無線機器内臓ＰＣ６０２とＰＣ１１０は無線通信中継機６０１と情報コンセント１０２、情報コンセント１０８、通信中継機１０８を介して通信可能である。なお、部屋１０１、部屋１０７、部屋１１３にある機器間の通信は全てＩＰを使用して行っている。
【００２９】
また、情報コンセントの動作及び構成に関しては実施の形態１と同様である。
【００３０】
このような構成にすれば、サブネットマスクが容易に設定できＩＰアドレスの枯渇を防ぐことができる。また、一つの情報コンセントからやり取りされる機器の数をユーザーが任意に設定できる。そして、渡り配線にすることにより、ハブの口の数に関係なく、ネットワークを増やすことができる。
【００３１】
なお、実施の形態２には設定手段としてディップスイッチを用いたが、ロータリスイッチ等の手動切替型のスイッチを用いてもよい。また、設定手段として、メモリーカードやメモリースティック等の着脱式の不揮発性記憶手段を用いる場合は、スイッチの部分を着脱式の不揮発性記憶手段の挿入口に置き換えればよい。
【００３２】
また、実施の形態２では無線機器内臓ＰＣを使用しているが、ＰＣに無線機器をつけたものでもよい。また、実施の形態２では１つのネットワークを部屋とおいたが、部屋の中でパーテション等や線が引かれて区切られた空間や、ビルごとや建物ごとで区切られた空間等でもよい。
【００３３】
また、実施の形態２では機器としてＰＣを使用しているが、テレビや電子レンジやカーナビのようなネットワーク上で使用できる電気製品でもよい。
【００３４】
加えて、ＩＰアドレスにプライベートアドレスを設定する際は、情報コンセントの内側インターフェースに上記のサブネットマスク設定と同様の設定手段を設けてもよい。また、ＩＰアドレスの設定は機器または通信中継器で設定されてもよい。そして、機器または通信中継器におけるＩＰアドレスの設定手段は上記のサブネットマスク設定と同様の設定手段でもよい。
【００３５】
（実施の形態３）
図７を用いて、実施の形態３の通信システムの構成を示す。
【００３６】
当実施の形態において、実施の形態１と同じ部位は同じ番号を付し同様のものとし、重複する説明は適宜省略する。
【００３７】
図７において、部屋１０１の壁面には情報コンセント１０２が設けられており、情報コンセント７０１には通信中継機１０３が接続されている。また、情報コンセント７０１と情報コンセント１０８、情報コンセント１０８と情報コンセント１１４がそれぞれ接続されており、例えばＰＣ１０４とＰＣ１１０は通信中継機１０３と情報コンセント７０１、情報コンセント１０８、通信中継機１０８を介して通信可能である。なお、部屋１０１、部屋１０７、部屋１１３にある機器間の通信は全てＩＰを使用して行っている。
【００３８】
また、図８にＩＰアドレスの設定の一例を示し、８０１をＩＰアドレス第１群、８０２をＩＰアドレス第２群として、ＩＰアドレスの設定はＩＰアドレス第１群８０１とＩＰアドレス第２群８０２を設定することとする。
【００３９】
また、図９に情報コンセント７０１のハードウエア構成の一例を示し、９０１は室内側インターフェースのＩＰアドレスを設定するＩＰアドレス第１群設定ＳＷ、９０２は室内側インターフェースのＩＰアドレスを設定するＩＰアドレス第２群設定ＳＷ、９０３は壁内側インターフェースのＩＰアドレスを設定するＩＰアドレス第１群設定ＳＷ、９０４は壁内側インターフェースのＩＰアドレスを設定するＩＰアドレス第２群設定ＳＷである。
【００４０】
図１０には情報コンセント１００１の内側インターフェースの構成の例を示す。図９において、４０１は内側インターフェースである。内側インターフェース設定ＳＷ群９０５と外側インターフェース設定ＳＷ群９０６はディップスイッチで室内側に露出している。また、コネクタ３０９とリセットＳＷがついている。
【００４１】
図１１において図９に示すハードウエア構成及び図１０に示す情報コンセント７０１の動作例を示す。初めに、ユーザーは室内側インターフェース設定ＳＷ群９０５と壁内側インターフェース設定ＳＷ群９０６をそれぞれ設定する（Ｓ１００１）。次に、リセットＳＷ３１３を押下（Ｓ１００２）し、ＣＰＵ３０７は初期化処理の中で、室内側インターフェース設定ＳＷ群９０５と壁内側インターフェース設定ＳＷ群９０６でそれぞれ設定された値を読み込み（Ｓ１００３）、メモリ３１２へ書き込む（Ｓ１００４）。以降、情報コンセント７０１を経由する通信において、ＣＰＵ３１３がメモリ３１２を参照するなどして、ＩＰを利用した通信が可能となる。
【００４２】
このような構成にすれば、サブネットマスク及びＩＰアドレスが容易に設定できＩＰアドレスの枯渇を防ぐことができる。また、一つの情報コンセントからやり取りされる機器の数をユーザーが任意に設定できるうえ、ＩＰアドレスの管理しやすくなる。そして、渡り配線にすることにより、ハブの口の数に関係なく、ネットワークを増やすことができる。
【００４３】
なお、実施の形態３には設定手段としてディップスイッチを用いたが、ロータリスイッチ等の手動切替型のスイッチを用いてもよい。また、設定手段として、メモリーカードやメモリースティック等の着脱式の不揮発性記憶手段を用いる場合は、スイッチの部分を着脱式の不揮発性記憶手段の挿入口に置き換えればよい。
【００４４】
また、実施の形態３では無線機器内臓ＰＣを使用しているが、ＰＣに無線機器をつけたものでもよい。また、実施の形態３では１つのネットワークを部屋とおいたが、部屋の中でパーテション等や線が引かれて区切られた空間や、ビルごとや建物ごとで区切られた空間等でもよい。
【００４５】
加えて、実施の形態３では機器としてＰＣを使用しているが、テレビや電子レンジやカーナビのようなネットワーク上で使用できる電気製品でもよい。
【産業上の利用可能性】
【００４６】
当発明の情報コンセントは、社内ＬＡＮや室内ＬＡＮや家庭内ＬＡＮや地域ＬＡＮの構築に有用となる。
【図面の簡単な説明】
【００４７】
【図１】本発明の第１の実施の形態における通信システムの図
【図２】サブネットマスクの例の図
【図３】本発明の第１の実施の形態におけるハードウエア構成図
【図４】本発明の第１の実施の形態における内側インターフェース外観図
【図５】本発明の第１の実施の形態におけるサブネットマスクの設定方法のフローチャート
【図６】本発明の第２の実施の形態における通信システムの図
【図７】本発明の第３の実施の形態における通信システムの図
【図８】ＩＰアドレスの例の図
【図９】本発明の第３の実施の形態におけるハードウエア構成図
【図１０】本発明の第３の実施の形態における内側インターフェース外観図
【図１１】本発明の第３の実施の形態におけるサブネットマスクの設定方法のフローチャート
【図１２】従来の通信システムの図
【図１３】従来のＩＰアドレスの設定方法のフローチャート
【符号の説明】
【００４８】
１０１    部屋
１０２    情報コンセント
１０３    通信中継機
１０４    ＰＣ
１０５    ＰＣ
１０６    ＰＣ
１０７    部屋
１０８    情報コンセント
１０９    通信中継機
１１０    ＰＣ
１１１    ＰＣ
１１２    ＰＣ
１１３    部屋
１１４    情報コンセント
１１５    通信中継機
１１６    ＰＣ
１１７    ＰＣ
１１８    ＰＣ
２０１    サブネット第１群
２０２    サブネット第２群
３０１    内側インターフェース設定ＳＷ群
３０２    サブネット第１群設定ＳＷ
３０３    サブネット第２群設定ＳＷ
３０４    外側インターフェース設定ＳＷ群
３０５    サブネット第１群設定ＳＷ
３０６    サブネット第２群設定ＳＷ
３０７    ＣＰＵ
３０８    ＰＨＹ・ＭＡＣ
３０９    コネクタ
３１０    コネクタ
３１１    ＰＨＹ・ＭＡＣ
３１２    メモリ
３１３    リセットＳＷ
４０１    内側インターフェース
６０１    無線通信中継機
６０２    無線機器内臓ＰＣ
６０３    無線機器内臓ＰＣ
６０４    無線機器内臓ＰＣ
７０１    情報コンセント
８０１    ＩＰアドレス第１群
８０２    ＩＰアドレス第２群
９０１    ＩＰアドレス第１群設定ＳＷ
９０２    ＩＰアドレス第２群設定ＳＷ
９０３    ＩＰアドレス第１群設定ＳＷ
９０４    ＩＰアドレス第２群設定ＳＷ
９０５    内側インターフェース設定ＳＷ群
９０６    外側インターフェース設定ＳＷ群
１００１    内側インターフェース
１２０１    無線基地局
１２０２    ロータリスイッチ
１２０３    ロータリスイッチ
１２０４    回線コントローラ
１２０５    ＩＳＤＮ回線端末
１２０６    ＰＳＴＮ回線端末
１２０７    移動端末
１２０８    移動端末
１２０９    移動端末
１２１０    ＩＳＤＮ／公衆網
【図１】
2005354341.tif 000003
【図２】
2005354341.tif 000004
【図３】
2005354341.tif 000005
【図４】
2005354341.tif 000006
【図５】
2005354341.tif 000007
【図６】
2005354341.tif 000008
【図７】
2005354341.tif 000009
【図８】
2005354341.tif 000010
【図９】
2005354341.tif 000011
【図１０】
2005354341.tif 000012
【図１１】
2005354341.tif 000013
【図１２】
2005354341.tif 000014
【図１３】
2005354341.tif 000015